【手続補正書】
【提出日】平成16年3月5日(2004.3.5)
【手続補正１】
【補正対象書類名】明細書
【補正対象項目名】特許請求の範囲
【補正方法】変更
【補正の内容】
【特許請求の範囲】
【請求項１】
圧電性基板と、上記圧電性基板の平面上に形成され、第１と第２のバスバーと、該第１のバスバーに接続された第１の複数の電極指と、該第２のバスバーに接続された第２の複数の電極指とを有するすだれ状電極とを備え、
上記すだれ状電極の上記第１、第２の複数の電極指が交互に配置された交差部を有し、上記第１、第２のバスバーと、上記第１、第２の複数の電極指のグレーティングとの間の各境界線は、上記すだれ状電極から励振される弾性表面波の群速度と非平行であることを特徴とする弾性表面波素子。
【請求項２】
請求項１記載の弾性表面波素子において、上記各境界線は、上記すだれ状電極で励振される弾性表面波の群速度と４５±２７度の範囲内の角度をなすことを特徴とする弾性表面波素子。
【請求項３】
請求項２記載の弾性表面波素子において、上記圧電性基板は平行四辺形であり、上記平行四辺形は上記電極指によって励振される弾性表面波の伝播方向と非平行に伸びた辺をもつことを特徴とする弾性表面波素子。
【請求項４】
請求項１記載の弾性表面波素子において、上記各境界線は、その全長1/2以上において、上記電極指によって励振される弾性表面波の伝播方向と上記各境界線の方向とが非平行であることを特徴とする弾性表面波素子。
【請求項５】
請求項１記載の弾性表面波素子において、上記圧電性基板がニオブ酸リチウムで形成されていることを特徴とする弾性表面波素子。
【請求項６】
圧電性基板と、上記圧電性基板の平面上に形成され、第１と第２のバスバーと、該第１のバスバーに接続された第１の複数の電極指と、該第２のバスバーに接続された第２の複数の電極指をもつすだれ状電極とを備え、
上記すだれ状電極の上記第１、第２の複数の電極指が交互に配置された電極交差部を有し、上記第１、第２のバスバーと、上記第１、第２の複数の電極指のグレーティングとの間の各境界線は、上記すだれ状電極から励振される弾性表面波の群速度と非平行であり、上記交差部がアポタイズ法により、重み付けされていることを特徴とする弾性表面波素子。
【請求項７】
圧電性基板と、上記圧電性基板の平面上に形成され、第１と第２のバスバーと、該第１のバスバーに接続された第１の複数の電極指と、該第２のバスバーに接続された第２の複数の電極指とを有するすだれ状電極とを備え、
上記すだれ状電極の上記第１、第２の複数の電極指は上記第１、第２の複数の電極指が交互に配置された交差部を有し、上記第１、第２のバスバーと、上記第１、第２の複数の電極指のグレーティングとの間の各境界線は、上記すだれ状電極で励振される弾性表面波の伝播方向と非平行であり、上記各境界線は上記境界の延長方向が上記すだれ状電極で励振される弾性表面波の群速度と４５±２７度の範囲内の角度をなし、上記交差領域が菱形で、上記各境界は対応する包絡線と平行であることを特徴とする弾性表面波素子。
【請求項８】
請求項７記載の弾性表面波素子において、上記圧電性基板は四辺形であって、上記各境界は上記圧電性基板の辺に対して平行であることを特徴とする弾性表面波素子。
【請求項９】
圧電性基板と、上記圧電性基板の平面上に形成され、第１と第２のバスバーと、該第１のバスバーに接続された第１の複数の電極指と、該第２のバスバーに接続された第２の複数の電極指とを有するすだれ状電極とを備え、
上記すだれ状電極の上記第１、第２の複数の電極指が交互に配置された電極交差部を有し、上記第１、第２のバスバーと、上記第１、第２の複数の電極指のグレーティング領域との間の各境界線は、上記すだれ状電極で励振される弾性表面波の伝播方向と非平行であり、上記各境界線は、上記すだれ状電極で励振される弾性表面波の群速度と４５±２７度の範囲内の角度をなし、上記圧電性基板は平行四辺形で、その各辺は上記すだれ状電極から励振される弾性表面波の群速度方向と非平行であり、上記第１と第２の電極指の上記グレーティング領域は平行四辺形であることを特徴とする弾性表面波素子。
【請求項１０】
圧電性基板と、上記圧電性基板の平面上に形成され、第１と第２のバスバーと、該第１と第２のバスバーにそれぞれ接続された直線で相互に平行の複数の電極指をもつすだれ状電極とを備え、上記すだれ状電極の第１及び第２の複数の電極指は互いに交差する交差領域をもち、上記第１及び第２の複数の電極指にそった上記第１と第２のバスバー間の距離は上記すだれ状電極で励振される弾性表面波の郡速度方向に従って変化することを特徴とする弾性表面波素子。
【請求項１１】
請求項１０記載の弾性表面波素子において、上記境界線のそれぞれは上記第１と第２のバスバー間に設けられ、上記第１及び第２の複数の電極指が複合されたグレーティング部は、上記すだれ状電極から励振される弾性表面波の群速度と非平行であり、上記各境界線は、上記すだれ状電極から励振される弾性表面波の群速度と４５±２７度の範囲内の角度をなすように配置されることを特徴とする弾性表面波素子。
【請求項１２】
請求項１０記載の弾性表面波素子において、上記第１と第２のバスバーと上記第１及び第２の複数の電極指のグレーティング領域との間に設けられた上記各境界線のそれぞれは、上記境界線の伸びた方向が、その全長の１/２以上において、上記すだれ電極で励振される弾性表面波の伝播方向と上記各境界線の方向が非平行であることを特徴とする弾性表面波素子。
【請求項１３】
請求項１０記載の弾性表面波素子において、上記圧電性基板がニオブ酸リチウムで形成されていることを特徴とする弾性表面波素子。
【請求項１４】
圧電性基板と、上記圧電性基板の平面上に形成され、第１と第２のバスバーと、該第１のバスバーに接続された第１の複数の電極指と、該第２のバスバーに接続された第２の複数の電極指とを有するすだれ状電極とを備え、
上記すだれ状電極の上記第１、第２の複数の電極指が交互に配置された電極交差部を有し、上記第１、第２のバスバーと、上記第１及び第２の複数の電極指にそった上記第１と第２のバスバー間の距離は上記すだれ状電極で励振される弾性表面波の郡速度方向に従って変化し、アポタイズ法によって重み付けされていることを特徴とする弾性表面波素子。
【請求項１５】
請求項１４記載の弾性表面波素子において、上記第１と第２のバスバーによって囲まれた領域は上記アポタイズ法によって重み付けされた上記交差領域と同じ形態であることを特徴とする弾性表面波素子。
【請求項１６】
圧電性基板と、上記圧電性基板の平面上に形成され、第１と第２のバスバーと、該第１のバスバーに接続された第１の複数の電極指と、該第２のバスバーに接続された第２の複数の電極指とを有するすだれ状電極とを備え、
上記すだれ状電極の上記第１、第２の複数の電極指が交互に配置された交差領域を有し、上記第１、第２のバスバーと、上記第１及び第２の複数の電極指にそった上記第１と第２のバスバー間の距離は上記すだれ状電極から励振で弾性表面波の郡速度方向に従って変化し、上記第１、第２のバスバーと上記第１及び第２の複数の電極指で構成されるグレーティング領域との間に設けられる境界線のそれぞれは、上記境界線の延びる方向が、上記すだれ状電極で励振される弾性表面波の郡速度方向に関し４５±２７度の範囲内の角度をなし、上記交差領域は菱形の包絡線をもち、上記各境界線は対応する包絡線に平行であることを特徴とする弾性表面波素子。
【請求項１７】
請求項１６記載の弾性表面波素子において、上記圧電性基板は四角形であって、上記各境界線は上記圧電性基板に対応する包絡に平行であることを特徴とする弾性表面波素子。
【請求項１８】
圧電性基板と、上記圧電性基板の平面上に形成され、第１と第２のバスバーと、該第１のバスバーに接続された第１の複数の電極指と、該第２のバスバーに接続された第２の複数の電極指とを有するすだれ状電極とを備え、
上記すだれ状電極の上記第１、第２の複数の電極指が交互に配置された交差領域を有し、上記第１、第２のバスバーと、上記第１及び第２の複数の電極指にそった上記第１と第２のバスバー間の距離は上記すだれ状電極で励振される弾性表面波の郡速度方向に従って変化し、上記第１と第２のバスバーと上記第１と第２の複数の電極指を構成するとグレーティング領域の間に設けられる各境界線は、上記境界線の伸びる方向が上記すだれ状電極から励振される弾性表面波の群速度と４５±２７度の範囲内の角度をなすことを特徴とする弾性表面波素子。
【請求項１９】
請求項１８記載の弾性表面波素子において、上記第１及び第２の電極指の上記グレーティング領域が平行四辺形であることを特徴とする弾性表面波素子。
【請求項２０】
圧電性基板と、上記圧電性基板の平面上に形成され、第１と第２のバスバーと、該第１のバスバーに接続された第１の複数の電極指と、該第２のバスバーに接続された第２の複数の電極指とを有するすだれ状電極とを備え、
上記すだれ状電極の上記第１、第２の複数の電極指が交互に配置された交差領域を有し、上記第１、第２のバスバーそれぞれは、上記すだれ状電極から励振される弾性表面波の群速度に関して非平行であることを特徴とする弾性表面波素子。
【請求項２１】
圧電性基板と、上記圧電性基板の平面上に形成され、第１と第２のバスバーと、該第１のバスバーに接続された第１の複数の電極指と、該第２のバスバーに接続された第２の複数の電極指とを有するすだれ状電極とを備え、
上記すだれ状電極の上記第１、第２の複数の電極指が交互に配置された交差部を有し、第１と第２のバスバーのそれぞれが上記すだれ状電極から励振される弾性表面波の伝播方向に対して、実質的に角度をもつとことを特徴とする弾性表面波素子。